(57)【要約】      （修正有）【課題】寝たきり状態にある被介護者の身体に容易に着脱することができる被介護者保持具を備え、介護者の負担を軽減する介護装置を提供する。【解決手段】布団３又はベッドを幅方向に跨ぐことができるフレーム１における基部５にはキャスター９を取り付け、該フレームの上部には巻き取り手段１１を配設し、該巻き取り手段には一対の吊りベルト１３を巻き取り・繰り出し自在に巻装し、当該一対の吊りベルト間には被介護者保持具としての臀部支持板２１と背もたれ紐２３とを着脱自在に取り付けたことを特徴とする介護装置。前記臀部支持板は可撓性を有する。【選択図】図２
2015188572.tif 000002
【特許請求の範囲】
【請求項１】
布団又はベッドを幅方向に跨ぐことができるフレームにおける基部にはキャスターを取り付け、該フレームの上部には巻き取り手段を配設し、該巻き取り手段には一対の吊りベルトを巻き取り・繰り出し自在に巻装し、当該一対の吊りベルト間には被介護者保持具としての臀部支持板と背もたれ紐とを着脱自在に取り付けたことを特徴とする介護装置。
【請求項２】
前記臀部支持板は可撓性を有することを特徴とする請求項１に記載の介護装置。 
【発明の詳細な説明】
【技術分野】
【０００１】
本発明は、介護装置に関するものであり、特に畳上に敷かれた布団又はベッドに横たわる被介護者を吊り上げ、或いは吊り上げて移動させることができるようにした介護装置に係るものである。
【背景技術】
【０００２】
被介護者をベッドから吊り上げて移動させるようにした介護装置（以下「従来の介護装置」という。）は、例えば実開平６−２５２９０号公報等により開示されている。
【０００３】
実開平６−２５２９０号公報に示す従来の介護装置は、フレームに水平レールを配設し、モータにより回転する巻き取りドラムを該水平レールに沿って移動自在となし、該巻き取りドラムに平ベルトを巻装し、該平ベルトにハンガー部を取り付け、該ハンガー部に被介護者保持具を取り付け、該被介護者保持具に被介護者を保持させるようにしてなるものである。
【先行技術文献】
【特許文献】
【０００４】
【特許文献１】実開平６−２５２９０号公報
【発明の概要】
【発明が解決しようとする課題】
【０００５】
しかるに、上記従来の介護装置における被介護者保持具は、寝たきり状態にある被介護者の身体に容易に着脱することができない。
【０００６】
寝たきり状態にある被介護者の身体に被介護者保持具を着脱する作業は介護者に大きな負担を強いるものである。その結果、介護者は腰、肩、腕等の不具合に悩まされることが多い。また、被介護者の身体に被介護者保持具を着脱する作業が介護者に大きな肉体的負担を強いることは、被介護者に大きな心理的負担となる。
【０００７】
このような点に鑑み、本発明は、寝たきり状態にある被介護者の身体に容易に着脱することができる被介護者保持具を備え、介護者の負担を軽減する介護装置を提供しようとしてなされたものである。
【課題を解決するための手段】
【０００８】
本発明は、上記課題を解決するために、下記の介護装置を提供する。
【０００９】
（１）布団又はベッドを幅方向に跨ぐことができるフレームにおける基部にはキャスターを取り付け、該フレームの上部には巻き取り手段を配設し、該巻き取り手段には一対の吊りベルトを巻き取り・繰り出し自在に巻装し、当該一対の吊りベルト間には被介護者保持具としての臀部支持板と背もたれ紐とを着脱自在に取り付けたことを特徴とする介護装置（請求項１）。
【００１０】
（２）前記臀部支持板は可撓性を有する（請求項２）。
【発明の効果】
【００１１】
[請求項１の発明]
被介護者保持具としての臀部支持板と背もたれ紐とは、それぞれ一対の吊りベルト間に着脱自在に取り付けられているため、布団又はベッドに上向きに横たわる被介護者を吊り上げる際には、介護装置のフレームを布団又はベッドを幅方向に跨がせた状態となし、臀部支持板と背もたれ紐とを吊りベルトから取り外し、臀部支持板を被介護者の臀部附近と布団又はベッドとの間に差し込み、背もたれ紐を被介護者の背部と布団又はベッドとの間に差し込んだ後（図５参照）、該臀部支持板を一対の吊りベルト間に取り付け、該背もたれ紐の両端を被介護者の脇の下を通して当該一対の吊りベルト間に取り付ければよい（図６参照）。この状態で巻き取り手段により吊りベルトを巻き取ることにより、被介護者は臀部支持板と背もたれ紐に支持された状態で吊り上げられる（図７参照。）。また、被介護者を布団又はベッド上に戻す際には、巻き取り手段により吊りベルトを下降させて該臀部支持板と背もたれ紐とを布団又はベッドに当接させた状態で該臀部支持板と背もたれ紐とを吊りベルトから外し、被介護者と布団又はベッドとの間から該臀部支持板と背もたれ紐とを抜き取った後、吊りベルトを上昇させるのである。したがって、被介護者保持具としての臀部支持板と背もたれ紐とを被介護者に着脱する作業は容易であり、介護者の肉体的負担が著しく軽減される。その結果、被介護者の心理的負担も軽減される。
【００１２】
被介護者保持具として臀部支持体のみを用い、該臀部支持体に被介護者の腰を支持させて被介護者の腰を布団又はベッドから若干上方に浮かせることにより（図８参照）、オムツの交換、ズボンの着脱等の作業を容易に行うことができる。また、被介護者を布団又はベッドから吊り上げた状態で介護装置をフレーム基部のキャスターにより布団又はベッドから移動させ、被介護者をベッド近傍の車いすに乗せ、更には、被介護者を吊り上げたままベッド近傍の簡易トイレを使用させ、或いは被介護者を入浴させることができる。
【００１３】
[請求項２の発明]
前記臀部支持板は可撓性を有するため、被介護者をより安定的に支持することができ、被介護者に与える苦痛も軽減される。
【図面の簡単な説明】
【００１４】
【図１】図１は、本発明による介護装置の一例を示す斜視図である。
【図２】図２は、布団を幅方向に跨がせた状態の同上介護装置を示す正面図である。
【図３】図３は、一対の吊りベルトと臀部支持板とを示す正面図である。
【図４】図４は、吊りベルトと臀部支持板と背もたれ紐とを示す側面図である。
【図５】図５は、臀部支持板を被介護者の臀部附近と布団又はベッドとの間に差し込み、背もたれ紐を被介護者の背部と布団又はベッドとの間に差し込んだ状態を示す側面図である。
【図６】図６は、図５の後、臀部支持板を一対の吊りベルト間に取り付け、背もたれ紐の両端を被介護者の脇の下を通して当該一対の吊りベルト間に取り付けた状態を示す側面図である。
【図７】図７は、被介護者を吊り上げた状態を示す側面図である。
【図８】図８は、臀部支持板により被介護者の腰を布団又はベッドから上方に浮かせた状態を示す側面図である。
【発明を実施するための形態】
【００１５】
符号１に示すものは介護装置のフレームである。フレーム１は、布団３又はベッドを幅方向に跨ぐことができるものであって（図２参照）、一例として一対の基部５、５上に下方に開口した略コ字状枠７を取り付けてなるものである。当該一対の基部５、５間の間隔は、布団３又はベッドの幅よりも大きい。
【００１６】
フレーム１の基部５、５にはキャスター９、９・・・を取り付ける。キャスター９、９・・・は、介護装置を畳、床等の上を移動させ得るものであれば、いかなるものであってもよい。
【００１７】
フレーム１の上部には一対の巻き取り手段１１を配設し、該巻き取り手段１１には一対の吊りベルト１３、１３を巻き取り・繰り出し自在に巻装する。
【００１８】
巻き取り手段１１は、一例として、ブレーキ付きモータ１５を減速機１７を介して一対のプーリ―１９、１９に連結してなるものであり、該プーリ―１９、１９に一対の吊りベルト１３、１３を巻き取り・繰り出し自在に巻装する。符号２０に示すものはプーリ―１９、１９の回転軸、符号２２に示すものはプーリ―１９の軸受である。
【００１９】
巻き取り手段１１は、フレーム１の上部に一対のプーリ―１９、１９を同一の支軸に取り付け、該支軸に第一のスプロケットを取り付け、該フレーム１に第二のスプロケットを取り付け、これらのスプロケット間にチェーンを巻き掛け、当該第二のスプロケットをストッパーを備えた適宜のクランク等により手動で回転させるようにしてもよい。当該一対のプーリ―１９、１９にそれぞれ吊りベルト１３、１３を巻き取り・繰り出し自在に巻装する。
【００２０】
当該一対の吊りベルト１３、１３間には被介護者保持具としての臀部支持板２１と背もたれ紐２３とを着脱自在に取り付ける。
【００２１】
臀部支持板２１は、吊りベルト１３、１３の下部に着脱自在に取り付ける。すなわち、一例として、各吊りベルト１３の下部にフック２５を上向きに取り付け、臀部支持板２１の各端に該フック２５に対応する係止具２７を取り付け、臀部支持板２１の各係止具２７を各吊りベルト１３のフック２５に係脱自在に係止させる。
【００２２】
臀部支持板２１は、好ましくは、可撓性を有するものとし、例えば帆布、合成樹脂等により形成する。
【００２３】
背もたれ紐２３は、各吊りベルト１３における臀部支持板２１よりも上方の位置に着脱自在に取り付ける。すなわち、一例として、各吊りベルト１３におけるフック２５の上方に透孔２９を形成し、該背もたれ紐２３の各端に該透孔２９に対応するフック３１を取り付け、該フック３１を該透孔２９に係脱自在に係止させる。
【００２４】
符号３５に示すものは畳である。符号３７に示すものは枕である。符号３９に示すものは被介護者である。
【符号の説明】
【００２５】
１  フレーム
３  布団
５  基部
７  略コ字状枠
９  キャスター
１１  巻き取り手段
１３  吊りベルト
１５  ブレーキ付きモータ
１７  減速機
１９  プーリ―
２０  回転軸
２１  臀部支持板
２２  軸受
２３  背もたれ紐
２５  フック
２７  係止具
２９  透孔
３１  フック
３５  畳
３７  枕
３９  被介護者
【図１】
2015188572.tif 000003
【図２】
2015188572.tif 000004
【図３】
2015188572.tif 000005
【図４】
2015188572.tif 000006
【図５】
2015188572.tif 000007
【図６】
2015188572.tif 000008
【図７】
2015188572.tif 000009
【図８】
2015188572.tif 000010